(57)【要約】      （修正有）【課題】居住者名が汚れることがなく、しかも門柱本体の立体的スペースを有効に活用して、デザインが斬新で、意匠的にも優れた機能門柱を提供する。【解決手段】門柱本体の上部に表札部を配置した機能門柱において、上記表札部は、前部のガラスプレート２４と後部の後壁部８との間に閉鎖された表札スペースＳを設け、この表札スペースＳ内に居住者名を表示した表示部３１を設けるとともに、この表示部３１を上記スペースＳに向けて組み込んだライト３４により照射可能とした。表札スペースＳの表示部３１と後壁部８との間には、ライト３４により照射された光を表示部に反射させる背景部材３５を設けてもよい。【選択図】図３
2013213324.tif 000002
【特許請求の範囲】
【請求項１】
門柱本体の上部に表札部を配置した機能門柱において、上記表札部は、前部のガラスプレートと後部の後壁部との間に閉鎖された表札スペースを設け、この表札スペース内に居住者名を表示した表示部を設けるとともに、この表示部を上記スペースに向けて組み込んだライトにより照射可能としたことを特徴とする機能門柱。
【請求項２】
上記表札スペースの表示部と後壁部との間には、上記表示部の背景となる背景部材を設けたことを特徴とする、請求項１に記載の機能門柱。
【請求項３】
上記背景部材は上記表札部に着脱可能に設けられたことを特徴とする、請求項２に記載の機能門柱。
【請求項４】
上記ライトを上記表札スペースの上部に設け、上記表示部をライトの下方に設けたことを特徴とする、請求項１〜３のいずれかに記載の機能門柱。
【請求項５】
上記ライトは、上記門柱本体の上端を覆うキャップの内側に配置され、上記表札スペースの上壁部に設けられた照射口から上記表札スペース内部を照射することを特徴とする、請求項１〜４のいずれかに記載の機能門柱。
【発明の詳細な説明】
【技術分野】
【０００１】
本発明は、主に一般住宅の出入口に設置され、表札、照明、郵便受け箱などを設けた機能門柱に関する。
【背景技術】
【０００２】
近年の住宅事情として都市部では狭小化が進み、外構に十分なスペースを確保することが難しくなってきている。ただし、郵便受け箱や表札等は生活者に必要な機能であることから、小さなスペースでも設置が可能な機能門柱が提案実施されている。このような機能門柱は、特許文献１及び２に示されるように、門柱本体に外部から新聞や郵便物を投入するための郵便受け箱や、居住者の名を表示した表札や、表札を明るく照らすための照明や、来訪目的を伝えるためのドアホンなどを組み込んだものである。これにより、外部からの訪問客や郵便・新聞の配達員などに対応する機能を集中させることができるというメリットがある。
【先行技術文献】
【特許文献】
【０００３】
【特許文献１】特開２００５−６０２９７号公報
【特許文献２】特開２００５−１７１６６０号公報
【発明の概要】
【発明が解決しようとする課題】
【０００４】
しかしながら、従来の照明や表札は門柱本体に対して外付けとなるため、部品やネジ頭部が外部に露出してせっかくの意匠的外観が損なわれる、凹凸部に汚れが溜まりやすい、ネジ頭部に錆が発生して見栄えがよくない、などの問題があった。また、特に表札は表面に名前を印刷文字や刻み文字で表示するという平面的な処理で済ませている。門柱本体には十分な奥行きがあるのに、そのスペースを有効に利用できていないのではないかという問題も指摘されている。
【０００５】
本発明は上記問題点を解消し、居住者名が汚れることがなく、しかも立体的スペースを有効に活用して、デザインが斬新で、意匠的にも優れた機能門柱を提供することをその課題とする。
【課題を解決するための手段】
【０００６】
上記課題を解決するため、請求項１に係る発明は、門柱本体の上部に表札部を配置した機能門柱において、上記表札部は、前部のガラスプレートと後部の後壁部との間に閉鎖された表札スペースを設け、この表札スペース内に居住者名を表示した表示部を設けるとともに、この表示部を上記スペースに向けて組み込んだライトにより照射可能としたことを特徴とする。
【０００７】
請求項２に係る発明は、請求項１において、上記表札スペースの表示部と後壁部との間には、上記表示部の背景となる背景部材を設けたことを特徴とする。
【０００８】
請求項３に係る発明は、請求項２において、上記背景部材は上記表札部に着脱可能に設けられたことを特徴とする。
【０００９】
請求項４に係る発明は、請求項１〜３のいずれかにおいて、上記ライトを上記表札スペースの上部に設け、上記表示部をライトの下方に設けたことを特徴とする。
【００１０】
請求項５に係る発明は、請求項１〜４のいずれかにおいて、上記ライトは、上記門柱本体の上端を覆うキャップの内側に配置され、上記表札スペースの上壁部に設けられた照射口から上記表札スペース内部を照射することを特徴とする。
【発明の効果】
【００１１】
請求項１に係る発明によれば、前部のガラスプレートと後部の後壁部との間に設けた表札スペースに居住者名を表示した表示部を設けた構成であるから、表札部に奥行きが生じ、立体的スペースを有効に活用した斬新なデザインの表札が形成される。また、表札スペースは閉鎖されているので、表示部が雨風にさらされることがなく、居住者名が汚れるのが防止され、意匠的外観が損なわれることがない優れた機能門柱を得ることができる。
【００１２】
また、表示部を表札スペースに向けて組み込んだライトにより照射可能としたので、表札スペース内に照射されたライトの光が乱反射して表示部を照らすので、表札部が立体的であることが感得され、居住者名が照射された光によって明瞭に表示されることになり、夜間でも容易に判読することができる。
【００１３】
請求項２に係る発明によれば、上記表札スペースの表示部と後壁部との間には、上記ライトにより照射された光を上記表示部に反射させる背景部材を設けたので、背景部材に着色することにより、その色が表示部の背景となるから、居住者名がより強く印象付けられる。
【００１４】
請求項３に係る発明によれば、上記背景部材は上記表札部に着脱可能に設けられているので、背景部材が褪色したり、雨染みが付いたりしたときなどには、新しいものに交換して背景の色を変える等により表示部の雰囲気を変えることができる。
【００１５】
請求項４に係る発明によれば、ライトは上部に、表示部はライトの下方に設けたから、表示部は上からの光に直接に照らされて明るい部分と、光の影になる暗い部分とのコントラストにより立体的に現れ、判読しやすい。
【００１６】
請求項５に係る発明によれば、ライトは、門柱本体の上端のキャップの内側に配置され、上記表札スペースの上部壁に設けられた照射口から上記表札スペースＳ内部を照射するので、ライト自体は外部から直接に見えないので、汚れることがなく、しかも表札スペース内部は柔らかい光により立体的雰囲気をかもし出すことができる。
【図面の簡単な説明】
【００１７】
【図１】本発明に係る機能門柱の正面図
【図２】図１の要部の拡大図
【図３】図２のＸ−Ｘ線上の拡大断面図
【図４】図２のＹ−Ｙ線上の拡大断面図
【発明を実施するための形態】
【００１８】
図１は機能門柱の正面図であり、図２はその要部の拡大図である。機能門柱は、左右２本の支柱１ａを門柱本体１とし、門柱本体１の下部に郵便受け箱２、その上部にインターホン３を設けるとともに、インターホン３の上部に表札部４を設け、上端にはキャップ５を取り付けたものである。
【００１９】
図３及び図４に示されるように、門柱本体１を構成する左右の支柱１ａは、それぞれ前後方向にやや長い金属製の中空部材によって形成され、互いに相対する対向面６は平面状に形成されているが、前端部には嵌合溝７が形成されている。
【００２０】
次に、表札部４の左右の支柱１ａの間には、後壁部８と上壁部９と下壁部１０とを一体に形成した金属製の隔壁部材１１が配置されている。左右の支柱１ａと隔壁部材１１との間にスペースＳが形成されている。隔壁部材１１の後壁部８は、左右の支柱１ａの対向面６、６にネジ止めされたＬ字形の連結金具１２に固定されている。
【００２１】
隔壁部材１１の後壁部８の前面中間部には間隔保持用の突部１３が突出形成され、下部は前方に突出するように屈曲形成され、屈曲部１４の先端には係合溝１５が形成されている。上壁部９の中央にはライト収納部１６が形成され、ライト収納部１６の前部の上下部には、それぞれ前向きの第１の係合溝１７と後向きの屈曲係合片１９とが形成され、さらにその前部には上向きの第２の係合溝１８が形成されている。第２の係合溝１８の前部下面には上部係合突起２０が下方に突出している。ライト収納部１６は下方に開口している。また、下壁部１０には、後壁部８の下端屈曲部１４と連結する連結部２１が上方に突出形成され、連結部２１の前部には下部係合突起２２が形成され、さらに前端部には上向きの突片２３が形成されている。
【００２２】
隔壁部材１１の後壁部８は、上述のように左右の支柱１ａの対向面６、６にＬ字形の連結金具１２を介してネジ止めされている。このように、左右の支柱１ａ間に隔壁部材１１を配置固定することにより、左右の支柱１ａを側壁とし、上壁部９を上壁とし、下壁部１０と後壁部８の屈曲部を下壁とし、後壁部８を後壁とするスペースＳが形成されている。
【００２３】
次に、両支柱１ａの対向面に形成された嵌合溝７にはガラスプレート２４が嵌合されている。ガラスプレート２４の下部は、隔壁部材１１の下壁部１０の支持ピース２５ａ上に支持され、突片２３の内側に当接している。また、ガラスプレート２４の上部にはガラス押え２５と帯板材２６と上部押え２７とが配置され、これにより、ガラスプレート２４は上下に動かないように固定されている。ガラス押え２５は上壁部９の前部に支持され、帯板材２６の後端は屈曲して上壁部９の第２の係合溝１８に係合している。また、上部押え２７は門柱本体１の上端を覆うキャップ５の内部に配置されている。
【００２４】
キャップ５は合成樹脂製で、門柱本体１の上端を覆うように形成され、内部には先端が後方に屈曲した係合片２８が形成されている。係合片２８は上壁部９の第１の係合溝１７に係合してキャップ５が上方に動かないようになっており、さらに上壁部９に固定されている。キャップ５の係合片２８と前壁３０との間の空間には上部押え２７が収納配置されている。
【００２５】
上記構成により、両側支柱１ａと隔壁部材１１とガラスプレート２４とにより、表札部４には閉鎖された表札スペースＳが形成される。なお、隔壁部材１１の裏側には化粧裏板４０が配置され、化粧裏板４０の下部４１は前方に屈曲して隔壁部材１１の下壁部１０の後端部の突部４４に係合し、上部４２は上壁部９の後端に重合してネジ止め固定されている。
【００２６】
次に、上記表札スペースＳ内には、この表札スペースＳ内に居住者名を表示した表示部３１が設けられている。表示部３１は金属製支持枠３２の上にロートアイアンによる文字３３を固定して表示したもので、支持枠３２は、後壁部８下部の屈曲部１４の先端と下壁部１０の係合突起２２に係合させた状態で、連結部２１から挿通されたネジ４３によって固定されている。支持枠３２の上部には居住者名を示すロートアイアン製の文字３３が一体的に形成されている。
【００２７】
ただし、表示部３１の構成としては、居住者名がわかるように表示手段に表示されたものであればよく、そのデザイン形態は問わない。例えば、図示しないが、透光性を有するプレートの上に直接に名を示す文字を表示したり、不透明な金属板に名を示す文字を切り抜き表示したりしてもよい。これらのプレートや金属板による表示手段は、上壁部９の上部係合突起２０と下壁部１０の下部係合突起２２を利用して表札スペースＳ内に支持すればよい。そのほか、前面のガラスプレート２４を表示手段として利用し、その裏面に居住者名を表示してもよい。この場合、構造が簡単で、文字部分のみが次に示すライト３４による照明で立体的に浮き上がるので、安価でも印象の強い表札に適する。このように、表示部３１として多様なデザインを選択することができる。
【００２８】
また、上壁部９のライト収納部１６には照明用ライト３４が組み込まれている。ライト３４は下方のスペースＳに向けて照射するように構成されている。ライト３４のオンオフを制御する配線コード（図示せず）は後壁部８と化粧裏板４０との間の空間を通って、インターホンに通じるコードとともに、門柱本体１の下から電源に接続している。
【００２９】
次に、後壁部８の前部には背景部材３５が設けられている。この背景部材３５は合成樹脂製や紙製の折り曲げ板状材で、上部３６は直角に屈曲し、下部３７は湾曲している。上部の屈曲部３６には照射口３８が形成され、その先端は上壁部９の屈曲係合片１９とライト収納部１６の下面との間に差し込まれている。下部の湾曲部３７の先端は後壁部８下部の係合溝１５に係合している。照射口３８はライト収納部１６の下方に配置されている。背景部材３５の表面には単色が着色されている。しかし、表示部３１を印象付けるものであればよく、単色に限定されない。表示部３１の上部には図柄等を施してもよい。
【００３０】
なお、表札部４を組み立てるときは、隔壁部材１１に背景部材３５と表示部３１を取り付けた後、隔壁部材１１を連結金具１２によって両側支柱１ａに固定し、隔壁部材１１の後部に化粧裏板４０を固定する。そして、ガラスプレート２４の両側縁を上から両側支柱１ａの嵌合溝７、７に嵌合させて下方にスライドさせ、ガラスプレート２４の上端にガラス押え２５と帯板材２６を取り付
ける。さらに、内部に上部押え２７を収納したキャップ５を門柱本体１の前側から後方にスライドさせ、係合片２８を上壁部９の第１の係合溝１７に係合させた後、キャップ５の両端に取付けた樹脂カバー４５（図２、図３参照）に対して支柱１ａの後ろからネジ固定すればよい。
【００３１】
上記構成の表札部４によれば、前部のガラスプレート２４と後部の後壁部８との間に設けた表札スペースＳに居住者名を表示した表示部３１を設けた構成であるから、表札部４に奥行きが生じ、立体的スペースＳを有効に活用した斬新なデザインの表札が形成される。また、表札スペースＳは閉鎖されているので、表示部３１が雨風にさらされることがなく、居住者名が汚れるのが防止され、意匠的外観が損なわれることがない優れた機能門柱を得ることができる。
【００３２】
また、表示部３１を表札スペースＳに向けて組み込んだライト３４からの光を照射口３８より照射可能としたので、表札スペースＳ内に照射されたライト３４の光が乱反射して裏側から表示部３１を照らすので、表札部４が立体的であることがより強く感得され、文字が裏側から照射された光によって明瞭に表示されることになり、夜間でも容易に判読することができる。
【００３３】
しかも、ライト３４は上部に、表示部４はライト３４の下方に設けたから、表示部４は、上からの光に直接に照らされて明るい部分と、光の影になる暗い部分とのコントラストにより立体的に現れる。
【００３４】
また、上記表札スペースＳの表示部３１と後壁部８との間には、上記ライト３４により照射された光を上記表示部３１に反射させる背景部材３５を設けたので、背景部材３５に着色することにより、その色が表示部３１の背景となるから、居住者名がより強く印象付けられる。
【００３５】
さらに、背景部材３５は表札部４に着脱可能に設けられているので、背景部材３５が褪色したり、雨染みが付いたりしたときなどには、新しいものに交換して背景の色を変える等により表示部３１の雰囲気を変えることができる。
【００３６】
また、ライト３４は、門柱本体１の上端のキャップ５の内側に配置され、上記表札スペースＳの上壁部９に設けられた照射口３８から上記表札スペースＳ内部を照射するので、ライト３４自体は外部から直接に見えないので、汚れることがなく、しかも、照射口３８から照射された光は、少し柔らかい光になるので、表示部３１を直射する場合に比べて立体感が増幅される。
【００３７】
なお、表札部の構成は図示したものに限定されない。表札スペースも公知の手段によって自由に構成すればよい。
【００３８】
また、表示部は上壁部や下壁部に固定されることに限定されない。側壁部や後壁部に支持固定してもよい。
【００３９】
さらに、背景部材は必ずしも必要ではない。後壁部に直接に着色してもよい。
【符号の説明】
【００４０】
Ｓ      表札スペース
１      門柱本体
１ａ    支柱
４      表札部
５      キャップ
８      後壁部
９      上壁部
１０    下壁部
１１    隔壁部材
２４    ガラスプレート
３１    表示部
３４    ライト
３５    背景部材
３８    照射口
【図１】
2013213324.tif 000003
【図２】
2013213324.tif 000004
【図３】
2013213324.tif 000005
【図４】
2013213324.tif 000006